(57)【要約】  本願発明は、電子写真印刷装置を用いて被印刷物上に隣接する印刷画像を形成する方法に関する。本方法においては、トナー画像（ＴＢ）についてのトナーでもって印刷ユニット（ＤＥ１）によって現像された電荷画像が、印刷ユニットの通過後、且つ後続の印刷ユニットへの到達前に、光伝導体（１）と共に第１の再帯電ユニット（１２，１６）によって、光伝導体（１）の初期電位（Ｕa）の絶対値と少なくとも同じ絶対値である再帯電電位（Ｕh）に帯電され、第１の再帯電ユニット（１２，１６）による再帯電の際に、トナー画像（ＴＢ）の下にある光伝導体の領域は再帯電されない。
2010519580.tif 000002
【特許請求の範囲】
【請求項１】
電子写真印刷装置を用いて被印刷物上に隣接する印刷画像を形成する方法において、
初期電位（Ｕa）に帯電されている回転する光伝導体（１）に沿って、同一の側に印刷ユニット（ＤＥ１，ＤＥ２）が配置されており、該印刷ユニット（ＤＥ１，ＤＥ２）はそれぞれ１つの符号発生器（４，７）と、摩擦ジャンプ方式に従い動作する１つの現像ステーション（５，８）とを有し、
各印刷ユニット（ＤＥ１，ＤＥ２）において、前記符号発生器（４，７）によって前記光伝導体（１）を露光することにより印刷画像の電荷画像（ＬＢ）を前記光伝導体（１）上に形成し、
前記現像ステーション（５，８）内に配置されており、且つバイアス電圧が印加されているジャンプドラム（６，９）によって、前記電荷画像（ＬＢ）を帯電されたトナーでもって着色し、
トナー画像（ＴＢ）についてのトナーでもって印刷ユニット（ＤＥ１）によって現像された電荷画像を、該印刷ユニットの通過後、且つ後続の印刷ユニットへの到達前に、前記光伝導体（１）と共に第１の再帯電ユニット（１２，１６）によって、前記光伝導体（１）の前記初期電位（Ｕa）の絶対値と少なくとも同じ絶対値である再帯電電位（Ｕh）に帯電させ、
前記第１の再帯電ユニット（１２，１６）による再帯電の際に、前記トナー画像（ＴＢ）の下にある光伝導体の領域を再帯電させないことを特徴とする、方法。
【請求項２】
初期電位（Ｕa）の絶対値を５００Ｖに選定し、再帯電電位（Ｕh2）の絶対値を７００Ｖから９００Ｖに選定する、請求項１記載の方法。
【請求項３】
最初に形成された前記トナー画像（ＴＢ１）を有する前記光伝導体（１）を、第１の中間露光ユニット（１３）による２回目の帯電の前にさらに放電させ、続いて前記再帯電ユニット（１２）によって、前記初期電位（Ｕa）よりも絶対値が大きい再帯電電位（Ｕh3）まで帯電させる、請求項２記載の方法。
【請求項４】
前記第１の中間露光ユニット（１３）によって、前記光伝導体（１）を飽和状態（Ｕe2）で放電させ、前記再帯電後に前記トナー画像（ＴＢ１）の電位（Ｕt5）の絶対値を前記光伝導体（１）の再帯電電位（Ｕh3）よりも大きくする、請求項３記載の方法。
【請求項５】
第２の中間露光ユニット（１４）による再帯電後に前記後続の印刷ユニット（ＤＥ２）に到達する前に、前記光伝導体（１）を該光伝導体（１）の初期電位（Ｕa）に対応する電位（Ｕh4）にまで放電させる、請求項３または４記載の方法。
【請求項６】
２回目の中間露光後の前記光伝導体（１）の電位を電荷センサ（１０）によって測定し、測定信号によって中間露光を制御する、請求項５記載の方法。
【請求項７】
前記再帯電ユニット（１２）による再帯電後に、前記後続の印刷ユニット（ＤＥ２）における所属の符号発生器（７）によって、２つの隣接する印刷画像が形成される画像領域（ＢＢ）においては、先行して形成されたトナー画像（ＴＢ１）外の画像領域（ＢＢ）を、先行して形成された電荷画像（ＬＢ１）の反転画像を用いる反転露光により露光し、前記所属の符号発生器（７）によって、後続の印刷画像の電荷画像（ＬＢ２）を前記光伝導体（１）上に形成する、請求項１から４までのいずれか１項記載の方法。
【請求項８】
前記反転露光の際に、前記先行して形成されたトナー画像（ＴＢ１）の周囲の領域（ＢＴ）を露光から除外する、請求項７記載の方法。
【請求項９】
符号発生器（７）としてＬＥＤ符号発生器を使用し、該符号発生器（７）により前記反転露光を画素毎の露光として実施し、前記先行して形成されたトナー画像（ＴＢ１）の周囲の領域（ＢＴ）を調整可能に前記画素毎の露光から除外する、請求項８記載の方法。
【請求項１０】
前記先行して形成されたトナー画像（ＴＢ１）の周囲の画素毎の露光の除外は１ＰＥＬ分である、請求項９記載の方法。
【請求項１１】
前記再帯電ユニット（１２）による再帯電後に、前記後続の印刷ユニット（ＤＥ２）における所属の符号発生器（７）によって、２つの隣接する印刷画像が形成される画像領域（ＢＢ）においては、後続の電荷画像（ＬＢ２）の縁部領域（ＲＢ）を先行して形成された電荷画像（ＬＢ１）の反転画像を用いて露光し、前記所属の符号発生器（７）によって、後続の印刷画像の電荷画像（ＬＢ２）を前記光伝導体（１）上に形成する、請求項１から４までのいずれか１項記載の方法。
【請求項１２】
先行して形成された印刷画像（ＤＢ１）の反転画像を用いる前記光伝導体（１）の露光を前記符号発生器（７）の後段に配置されている電荷センサ（１１）によって制御する、請求項７から１２までのいずれか１項記載の方法。
【請求項１３】
前記再帯電ユニット（１２）による再帯電後に、前記後続の印刷ユニット（ＤＥ２）における所属の符号発生器（７）によって、２つの隣接する印刷画像が形成される画像領域（ＢＢ）においては、前記初期電位（Ｕa）に対応する帯電電位（Ｕh6）が生じるように後続の電荷画像（ＬＢ２）の縁部領域（ＲＢ）を露光する、請求項１１または１２記載の方法。
【請求項１４】
符号発生器（７）としてＬＥＤ符号発生器を使用し、該符号発生器（７）により調整可能に前記縁部領域（ＲＢ）を、縁部ＰＥＬ露光としての画素毎の露光によって帯電電位（Ｕh6）に再帯電させる、請求項１３記載の方法。
【請求項１５】
先行して形成された印刷画像（ＤＢ１）の前記トナー画像（ＴＢ１）の一部が前記縁部領域（ＲＢ）に入り込むように並んで配置されている、隣接して配置されている複数の印刷画像では、先行して形成された前記トナー画像（ＴＢ１）の前記一部を露光しないように前記符号発生器（７）による露光を行う、請求項１４記載の方法。
【請求項１６】
前記符号発生器（７）を用いる画素毎の露光によって前記縁部領域（ＲＢ）の幅を調整する、請求項１４または１５記載の方法。
【請求項１７】
前記縁部領域（ＲＢ）における再帯電の強度を、前記符号発生器（７）のＬＥＤの露光の強度の調整によって規定する、請求項１４から１６までのいずれか１項記載の方法。
【請求項１８】
第２の印刷ユニット（ＤＥ２）の後続の印刷ユニットにおいて、それぞれの後続の印刷画像を形成するために、
前記光伝導体（１）を中間露光ユニットによって飽和状態で再帯電させ、
前記光伝導体（１）を再帯電ユニットによって、前記初期電位（Ｕa）よりも絶対値が大きい再帯電電位まで再帯電させ、
前記光伝導体（１）を所属の印刷ユニットの符号発生器または別の中間露光ユニットによって、それぞれの印刷画像の電荷画像（ＬＢ）の電位まで再帯電させ、
前記電荷画像（ＬＢ）を所属の印刷ユニットの現像ステーションによって現像し、それぞれの印刷画像のトナー画像を形成する、請求項１から１７までのいずれか１項記載の方法。
【発明の詳細な説明】
【技術分野】
【０００１】
トナージャンプ（Toner-Jump）方式による電子写真印刷またはコピー装置での、電荷画像担体、例えば光伝導体ドラム上に形成された、印刷すべき画像の電荷画像ないし潜像の現像が公知である（例えばResearch Disclosure 331080; US 4 868 600を参照されたい）。この方式では、現像ドラム（ジャンプドラム）と電荷画像担体との間の中間空間（以下では現像領域と称する）において、交流電圧または直流電圧が印加されることによって、トナー粒子から成るトナークラウドが形成され、このトナークラウドからトナー粒子が電荷画像に応じて電荷画像担体に移動し、したがって電荷画像担体を着色する。多色印刷では、電荷画像が異なる色のトナー粒子を用いて連続して着色されることが必要とされる。このために、電荷画像担体に沿って相応の数の現像ステーションを配置することができる（US 5 828 933；GB 2 343 144 Aを参照されたい）。この場合には、トナージャンプ方式にしたがい現像領域内にトナークラウドが形成される際に、トナー粒子が電荷画像担体にも生じ、先行の現像ステーションによって先行して形成された別の色のトナー層が少なくとも部分的に再び剥がれる危険が存在する。これによって先行して印刷されたカラー画像の品質が劣化し、またこの現像ステーションの現像混合液が汚染される。
【０００２】
本発明が基礎とする課題は、電荷画像担体上に既に存在するトナー画像に、例えば連続的な印刷の際に影響が及ぼされず、且つ、後続の現像ステーションが汚染されない方法を提供することである。
【０００３】
この課題は、請求項１および請求項２３の特徴部分に記載された構成によって解決される。
【０００４】
初期電位に事前に帯電されている回転する光伝導体に沿って、同一の側に印刷ユニットが配置されており、印刷ユニットがそれぞれ１つの符号発生器と、摩擦ジャンプ（Tribo-Jump）方式に従い動作する１つの現像ステーションとを有し、この現像ステーションによって印刷画像の電荷画像が光伝導体にそれぞれ形成され、この電荷画像が現像ステーション内に配置されており、且つプリ電圧（バイアス電圧）が印加されているジャンプドラムによって帯電されたトナーでもって着色されトナー画像になる場合、第１の印刷ユニットによって形成されたトナー画像は後続の印刷ユニットにおいて、第１のトナー画像のトナーが後続の印刷ユニットのトナーによってはがされ、後続の印刷ユニットの現像ステーションに到達することによって損傷する危険が存在する。
【０００５】
以下では、この問題を解決手段を説明するために、連続的に配置されている２つの印刷ユニットを備えた印刷装置を例に挙げる。この印刷装置においては、第１の印刷ユニットが第１の印刷画像の第１のトナー画像に印刷される電荷画像を形成し、後続の第２の印刷ユニットが第２の印刷画像の第２のトナー画像に現像される第２の電荷画像を形成する。しかしながらこれによって、解決手段は２つの印刷ユニットを備えた印刷装置に制限されるものではなく、この解決手段を２つより多くの印刷ユニットを備えた印刷装置にも適用することができる。
【０００６】
第１のトナー画像から後続の印刷ユニットの現像ステーションにトナーが移動する危険を、第１の印刷ユニットによってトナーでもって現像された（第１のトナー画像の）電荷画像がこの第１の印刷ユニットを離れた後に、且つ、後続の第２の印刷ユニットに到達する前に、光伝導体と共に再帯電ユニットによって、第１のトナー画像のトナーが第２の印刷ユニットの現像ステーションへの移動を阻止する再帯電電位へと再帯電されることによって低減することができる。これによって、第１のトナー画像のトナーが後続の印刷ユニットの現像ステーションへは到達しないことが達成される。
【０００７】
本発明の発展形態は従属請求項に記載されている。
【０００８】
本発明の第１の実施形態においては、再帯電電位が光伝導体の初期電位に対応する。
【０００９】
再帯電電位の絶対値が光伝導体の初期電位よりも高く選定される場合には更なる改善を達成することができる。
【００１０】
第１のトナー画像を有する光伝導体が再帯電の前に中間露光ユニットによって再び放電され、続いて再帯電ユニットによってその絶対値は初期電位よりも大きい再帯電電位へと帯電される場合には、光伝導体における第１のトナーの定着が著しく高められ、このトナーが後続の印刷ユニットの現像ステーションへと移動することは十分に阻止される。
【００１１】
この効果は、第１の中間露光ユニットによって光伝導体が飽和状態まで放電され、再帯電後にトナー画像の電位の絶対値が光伝導体の再帯電電位よりも大きくなる場合にはさらに高まる。
【００１２】
後続の印刷ユニットによる第２の電荷画像の現像を、再帯電の後に後続の印刷ユニットに到達する前に第２の中間露光ユニットによって光伝導体がこの光伝導体の初期電位に対応する電位にまで放電されることによって改善することができる。
【００１３】
このことを、光伝導体の電位が第２の中間露光の後に電荷センサによって測定され、中間露光が測定信号によって制御される場合には所期のように達成することができる。
【００１４】
後続の印刷ユニットの符号発生器は、この符号発生器が光伝導体において第２の電荷画像が生じるべき領域を電荷画像の形成にとって最適な電位にすることによって最適な結果が得られる。この電位は例えば初期電位でよい。
【００１５】
この目標は第１の方法において、後続の第２の印刷ユニットの符号発生器の再帯電ユニットによる光伝導体の再帯電後に、第１の印刷画像および第２の印刷画像が形成されるべき領域において、第１のトナー画像の外側の画像領域が第１の電荷画像の反転画像でもって露光され、さらにこの画像領域において第２の印刷画像の電荷画像が光伝導体上に形成される場合に達成することができる。第２の印刷ユニットの符号発生器によって、第２の電荷画像の縁部領域においてのみ、第１の電荷画像の反転画像による露光が行われる場合には殊に有利である。第１の電荷画像の反転画像による光伝導体の露光を、符号発生器の後段に配置されている電荷センサを用いて制御して調整することができる。
【００１６】
反転露光の際に、先行して形成されたトナー画像の周囲の領域が露光されない場合には有利である。符号発生器としてＬＥＤ符号発生器が使用される場合には、反転露光が画素毎の露光として実施し、先行して形成されたトナー画像の周囲の領域を調整可能に画素毎の露光から除外することができる。
【００１７】
例えば、先行して形成されたトナー画像の周囲の画素毎の露光の除外は１ＰＥＬ分である。
【００１８】
この目標は第２の方法において、符号発生器としてＬＥＤ符号発生器が使用され、この符号発生器を用いることにより調整可能に第２の電荷画像の縁部領域が、画素毎の露光（縁部ＰＥＬ露光）によって、第２の電荷画像の現像のための最適な電荷電位、例えば初期電位に再帯電される場合に達成することができる。この解決手段においては、縁部領域の幅を符号発生器を用いる画素毎の露光によって調整することができる。さらに、縁部領域における再帯電の強度を、符号発生器のＬＥＤの露光の強度を調整することによって規定することができる。第２の電荷画像の形成は第１のトナー画像に依存せず、また細かい符号とパターンを有する印刷画像をより良好に形成することができる。
【００１９】
先行して形成された印刷画像のトナー画像の一部が後続の印刷画像の縁部領域に入り込むように並んで配置されている、隣接して配置されている複数の印刷画像においては、符号発生器が先行して形成されたトナー画像の部分を露光しないように符号発生器による露光が行われる。
【００２０】
図面に示した実施例に基づき本発明を詳細に説明する。
【図面の簡単な説明】
【００２１】
【図１】電子写真印刷装置を示す。
【図２】原則的に、本発明を使用せずに２つの印刷ユニットによって２つの連続する印刷画像を形成する際の光伝導体における電位が時間にわたりプロットされているパルスグラフを示す。
【図３】２つの印刷ユニットによる２つの印刷画像の形成の間に光伝導体が再帯電された場合の光伝導体における電位を表した、図２に対応するパルスグラフを示す。
【図４】光伝導体が再帯電の際に過帯電される場合の光伝導体における電位を表した、図２に対応するパルスグラフを示す。
【図５】再帯電の前に光伝導体がさらに露光された場合の光伝導体における電位を表した、図２に対応するパルスグラフを示す。
【図６】再帯電の後に光伝導体がさらに中間露光された場合の光伝導体における電位を表した、図２に対応するパルスグラフを示す。
【図７】第２の印刷ユニットの符号発生器が電荷センサによって制御される場合の光伝導体における電位を表した、図２に対応するパルスグラフを示す。
【図８】第１の電荷画像でもって反転露光された後の第１の印刷画像を示す。
【図９】図８による反転露光の際の第１の方法を示す。
【図１０】第１の方法の有利な改善形態を示す。
【図１１】縁部領域においてのみ第２の印刷画像が反転露光される場合の第１の印刷画像および第２の印刷画像を示す。
【図１２】図１１の実施形態を実現するための第２の方法を示す。
【図１３】第２の方法の改善形態を示す。
【図１４】２つより多くのトナー画像が本発明により連続して光導体上に形成される場合の光伝導体における電位を表した、図２に対応するパルスグラフを示す。
【図１５】第２の印刷ユニットの符合発生器を制御するための制御回路を示す。
【００２２】
図１には、電子写真印刷装置の基本構造が示されている。この実施例において、図１においては光伝導体ベルトである光伝導体１の周りには２つの印刷ユニットＤＥ１およびＤＥ２が配置されており、これらの印刷ユニットＤＥ１およびＤＥ２を用いて、トナーによって着色された電荷画像を光伝導体１上に形成することができ、それらの電荷画像は相互に並んで配置されている。光伝導体１は矢印２の方向へと移動される。光伝導体１は印刷ユニットＤＥ１に到達する前に、クリーニングユニットＲＥによってクリーニングされる。このクリーニングユニットＲＥは、トナー画像が被印刷物ＡＴに転写される転写ステーションＵＳの後方に位置する。
【００２３】
各印刷ユニットＤＥ１，ＤＥ２は符号発生器４，７および現像ステーション５，８を有する。符号発生器４，７として例えばＬＥＤ符号発生器を使用することができ、この符号発生器は光伝導体１を印刷すべき画像に応じて露光により放電させ、それにより現像ステーションにおいて現像される印刷画像の電荷画像を形成する。現像ステーション５，８として、摩擦ジャンプ（Tribo-Jump）方式に従い動作する現像ステーション５，８を使用することができる。この動作方式は既知であるが、以下において再度説明する：
担体とトナーとから成る現像混合液から、磁気ドラムによる混合後に現像液が現像ドラムとしてのジャンプドラム６，９に供給され、このジャンプドラム６，９は磁気ドラムから帯電されたトナーを受け取る。トナーはジャンプドラム６，９と光伝導体１との間に形成される現像液ギャップに供給され、そこにおいてトナークラウドが生じ、このトナークラウドからは電荷画像を着色するためにトナーが光伝導体１に達する。トナークラウドから光伝導体１へのトナーの移行を支援するために、ジャンプドラム６，９には、このジャンプドラム６，９と光伝導体１上の電荷画像との間に電界を生じさせる予圧、すなわちバイアス電圧が印加されており、この電圧に基づき荷電されたトナーが電荷画像に向かって移動される。
【００２４】
動作時（図２を参照されたい）には、光伝導体１が先ず帯電ユニット３によって初期電位Ｕａに帯電される。続いて光伝導体１は第１の印刷ユニットＤＥ１へと移動する。第１の印刷ユニットＤＥ１においては帯電された光伝導体１が、この第１の印刷ユニットＤＥ１によって印刷されるべき画像（第１の印刷画像）に応じて符号発生器４によって露光され、それにより印刷すべき第１の印刷画像の第１の電荷画像ＬＢ１が光伝導体１上に形成される。この電荷画像ＬＢ１は印刷ユニットＤＥ１の第１の現像ステーション５においてトナーにより着色されてトナー画像ＴＢ１となる。符号発生器４と現像ステーション５との間に電荷センサ１０を設けることができ、この電荷センサ１０によって光伝導体１上の電荷が測定され、それに依存して符号発生器４による露光および帯電ユニット３による帯電が制御される。
【００２５】
第２の印刷ユニットＤＥ２においては光伝導体１が第２の符号発生器７によって、印刷すべき第２の印刷画像に応じて露光され、光伝導体１が相応に放電される。第２の印刷ユニットＤＥ２によって形成される電荷画像ＬＢ２は第１のトナー画像ＴＢ１の近傍に位置する。第２の電荷画像ＬＢ２は第２の現像ステーション８によって現像されて第２のトナー画像ＴＢになる。
【００２６】
印刷ユニットＤＥ１およびＤＥ２によって光伝導体１上に形成された２つのトナー画像ＴＢ１，ＴＢ２は転写ステーションＵＳにおいて公知のやり方で被印刷物、例えば紙に転写され、続けて公知のやり方で定着される。
【００２７】
印刷画像の品質を改善するために、光伝導体１に沿って別の機能ユニットを配置することができる。印刷ユニットＤＥ１とＤＥ２との間には、印刷ユニットＤＥ１の後方において光伝導体１を再び帯電させるために再帯電ユニット１２を設けることができる。さらには、光伝導体１を放電させるために、第１の印刷ユニットＤＥ１とＤＥ２との間に中間露光ユニット１３を設けることができる。この中間露光ユニット１３を再帯電ユニット１２の手前に配置することができる。また、第２の印刷ユニットＤＥ２の符号発生器７と現像ステーション８との間に別の電荷センサ１１を設けることができ、この別の電荷センサ１１の測定信号によって第２の符号発生器７による露光および再帯電ユニット１２による再帯電を制御することができる。最後に、再帯電ユニット１２と第２の印刷ユニットＤＥ２との間に、光伝導体１を適用事例に応じてさらに露光できるようにするために、第２の中間露光ユニット１４を配置することができる。
【００２８】
図２から図１４に基づき、印刷装置の機能をさらに説明する。図２から図７および図１４は、光伝導体１に沿って種々のユニットが使用して、印刷ユニットＤＥ１およびＤＥ２によって印刷画像を形成する際の光伝導体１における電位の経過がプロットされているパルスグラフを示す。この実施例においては、トナーが負に帯電されており、且つ光伝導体１における電位も同様に負であることを前提とする。しかしながら本願発明を、トナーが正に帯電されており、且つ光伝導体１における電位が正である場合にも使用することができる。図２から図１３においては、異なる色の２つの印刷画像がどのようにして連続的に並んで印刷ユニットＤＥ１およびＤＥ２によって形成されるかのみが示されている。図１４は、（図１には図示していない）別の印刷ユニットによって、第３の印刷画像が光伝導体１上に形成される場合を示す。図２から図７、図１４において、パルスグラフの上方には、記載の事項について光伝導体１に影響を及ぼす印刷装置の複数の機能ユニットが示唆されている。
【００２９】
図２は、本発明を使用せずに２つの印刷ユニットＤＥ１およびＤＥ２によって光伝導体１上に、２つの印刷画像のトナー画像ＴＢが連続的に並んで形成される場合の出発状況を示す。図２には、本発明を用いない動作時に生じる問題が示されている。帯電ユニット３によって光伝導体１は先ず初期電位Ｕa、例えば約５００Ｖに帯電される。続いて、光伝導体１は符号発生器４によって印刷すべき画像に応じて、例えば約−４０Ｖの放電電位Ｕelにまで放電される。この際に形成される電荷画像ＬＢ１が次のステップで現像ステーション５において第１の色のトナーＴ１により着色される。この過程は、ジャンプドラム６におけるバイアス電圧が例えば約−３００Ｖであることによって支援され、またそれによって負に帯電されたトナーＴ１の電荷画像ＬＢ１への移動が支援される。これにより、２つのトナー粒子Ｔ１によってシンボリックに表されている第１のトナー画像ＴＢ１が生じる。トナー画像ＴＢ１は放電電位Ｕelよりも負の電位Ｕtlを有する。光伝導体１は印刷ユニットＤＥ２に向かってさらに移動される。印刷ユニットＤＥ２においては、トナー画像ＴＢ１の近傍に位置する光伝導体１が符号発生器７によって印刷すべき画像に応じて露光され、これによって再び放電電位Ｕelにまで放電され、電荷画像ＬＢ２が生じる。続いて、電荷画像ＬＢ２が現像ステーション８において別の色のトナーＴ２によって着色されてトナー画像ＴＢ２になる。
【００３０】
図２に応じてトナー画像ＴＢの形成が実施される場合には幾つかの問題が発生する。すなわち、
−トナー画像ＴＢ１は現像ステーション８も通過するので、現像ステーション８では現像液ギャップに存在するトナーＴ２から成るトナークラウドによってトナー画像ＴＢ１からトナーＴ１が溶け出し、溶け出したトナーＴ１が現像ステーション８に達し、現像混合液を汚染する。
【００３１】
−トナー画像ＴＢ１からトナーＴ１が溶け出ることによって、トナー画像ＴＢ１が劣化する、もしくは完全に破壊される。
【００３２】
−さらには、第１のトナー画像ＴＢ１、したがって第１の印刷画像では強調された背景が形成され、これは光伝導体１の再帯電されない領域においても生じる。このことは図２および後続の図面において、トナー画像ＴＢ１においてはトナーＴ１が欠如しており、トナーＴＢ２においてトナーＴ１が示されていることによって示唆されている。
【００３３】
図２による方式の欠点は、印刷画像の所望の品質に応じて使用される、本発明による種々の措置でもって回避される。それらの措置を以下において説明する。
【００３４】
第１の措置を図３に基づき説明する。この措置では、第１のトナー画像ＴＢ１の形成後に、光伝導体１がこのトナー画像ＴＢ１と共に再帯電ユニット１２によって、例えば初期電位Ｕaに対応する再帯電電位Ｕhlにまでもう一度帯電され、トナー画像ＴＢ１の電位も相応にＵt2にまで高められる。したがってトナー画像ＴＢ１の電位は、ジャンプドラム９のバイアス電圧に比べて負である。トナー画像ＴＢ１の比較的高い負のトナー電位によって、一方では光伝導体１への付着力が高まり、他方ではトナーＴ１がトナーＴ２をはじく力が大きくなる。その結果、トナー画像ＴＢ１からは現像ステーション８に溶け出すトナーＴ１は少なくなる。
【００３５】
図４に応じて、再帯電ユニット１２によって光伝導体１が再帯電電位Ｕh2に帯電され、また第１のトナー画像ＴＢ１が初期電位Ｕaよりも負である電位Ｕt3に帯電されている（トナー画像ＴＢ１の過帯電）場合にはさらなる改善が達成される。
【００３６】
これによって、トナー画像Ｔ１の負の帯電が達成され、光伝導体１への付着力が高まる。さらに、第２の現像ステーション８における第１のトナー画像ＴＢ１と第２のトナー画像ＴＢ２との比較的大きい電位差（比較的大きい反発作用）が達成され、したがって第１のトナー画像ＴＢ１のトナーＴ１の再帯電が阻止される。再帯電ユニット１２によって光伝導体１を例えば約−８７０ＶのＵh2に帯電することができる。
【００３７】
図４による解決手段は、光伝導体１が過帯電され、第２のトナー画像ＴＢ２の現像、したがって第２の印刷画像ＤＢ２の現像が、殊に繊細な符号を表す場合に劣化するという欠点を有する。これを阻止するために、図５に応じた措置を行うことができる。この図５では、光伝導体１がその再帯電の前に、中間露光ユニット１３によって１回目の中間露光に曝され、これにより飽和状態で、例えばＵes≒２０Ｖにまでさらに放電される。この場合、トナー画像ＴＢ１の電位を例えばＵt4≒１００Ｖにまで放電することができる。ここで光伝導体１が再帯電ユニット１２によって再び帯電されると、トナー画像ＴＢ１が光伝導体１に比べて負に帯電される。例えばＵh3≒−７５０Ｖであり、Ｕt5≒−８００Ｖである。したがって光伝導体１の過帯電が低減される。その結果、第１のトナー画像ＴＢ１のトナーＴ１の現像ステーション８への移動は阻止される。
【００３８】
図６に応じて、光伝導体１の電位がさらに低減され、第１のトナー画像ＴＢ１の電位が変更されない場合に更なる改善が達成される。このこは、光伝導体１が第２の中間露光ユニット１４によって２回目の中間露光に曝され、初期電位Ｕaに対応する再帯電電位Ｕh4にまで放電されることによって達成することができる。初期電位Ｕaを再び調整するために、電荷センサ１１を介して光伝導体１における電位を測定し、この光伝導体１の電位が初期電位Ｕaとなるように第２の中間露光ユニット１４を制御することができる。これによって、第１のトナー画像ＴＢ１のトナーＴ１が現像ステーション８に移動することは阻止され、第２のトナー画像ＴＢ２を現像するための光伝導体１における最適な電荷電位が提供される。第１の電荷画像ＬＢ１のトナーＴ１が第２の露光ユニット１４の露光の光波長に対して透過性である場合には、第１のトナー画像ＴＢ１のトナーの過帯電も同様に失われるので、そのような場合にはこの解決手段に欠点が存在する。
【００３９】
この場合に関する解決手段を図７から見て取ることができる。この図７においては、第２の中間露光が省略される。中間露光ユニット１３による中間露光の後に、トナー画像ＴＢ１が再帯電ユニット１２によって電位Ｕt6まで再帯電され、この場合、光伝導体１の電位はＵh5である。第２の符号発生器７は、この第２の符号発生器７が第２のトナー画像ＴＢを形成するために光伝導体１の電位を再帯電電位Ｕh6、例えば初期電位Ｕaにするよう制御される。このために、符号発生器７を種々のやり方で制御し、それによって種々の結果を達成することができる。その際に実施される方法を図８から図１３に基づき説明する。実施例として、連続的に２つの印刷画像が形成されるべき画像領域ＢＢを考察する。これに関して、図７によれば、先ず第１の印刷画像のための電荷画像ＬＢ１が符号発生器４によって形成され、この電荷画像ＬＢ１が現像ステーション５において現像されトナー画像ＴＢ１となる。続いて、第２の印刷画像のための電荷画像ＬＢ２が符号発生器７によって形成され、この電荷画像ＬＢ２が現像ステーション８において現像されトナー画像ＴＢ２となる。
【００４０】
第１の方法においては、第１のトナー画像ＴＢ１の形成後に符号発生器７は、第１の印刷画像および第２の印刷画像が存在すべき画像領域ＢＢにおいて、第１のトナー画像ＴＢ１以外の領域を第１の電荷画像ＬＢ１の反転画像でもって露光するよう制御される。続いて、図６に示されているように、第２のトナー画像ＴＢ２が形成され、このために光伝導体１が約−４０Ｖにまで放電される。この反転露光の原理は図８に示されており、そこでは画像領域ＢＢが第１のトナー画像ＴＢ１の周囲に示されており、この画像領域ＢＢでは第１のトナー画像ＴＢ１が単色で示されており、この第１のトナー画像ＴＢ１の周囲のその他の領域には斜線が付されており、反転電荷画像ＬＢ１を用いて露光が行われていることを表す。第１のトナー画像ＴＢ１の周囲の領域の露光は第２の符号発生器７によって実施される。破線が付された画像領域ＢＢにおいては再帯電電位Ｕh6を調整し、第２の符号発生器７によって電荷画像ＬＢ２を形成することができる。図９ａ〜図９ｃに基づき、この第１の方法をさらに説明する。
【００４１】
図９ａから図９ｃは、画像領域ＢＢの原理図を示す。この図においては、画像領域ＢＢが複数の正方形に分割されており、それらの正方形をそれぞれ画素毎に例えばＬＥＤ符号発生器を用いて露光することができる。ＬＥＤ符号発生器７のＬＥＤによって形成される各画素（ピクセル）は画素毎に光伝導体を放電させ、光伝導体１上にＰＥＬ（被印刷要素）を生じさせ、このＰＥＬがトナーにより着色され印刷画素（ドット）を形成する。ＬＥＤ符号発生器７のＬＥＤは公知のやり方で、選択的に（正方形で表されている）個々のＰＥＬを露光によって形成するよう制御される。図９ａから図９ｃにおいては、トナー画像ＴＢ１が４つのＰＥＬによって表されている。図９ａは、現像ステーション５における現像後の電位特性を示す（図７を参照されたい）。斜線が付された領域における電位はＵaであり、トナー画像ＴＢ１の領域における電位Ｕt4はである。画像領域ＢＢは再帯電ユニット１２によって電位Ｕh5（図７を参照されたい）に帯電された後に、符号発生器７によって反転電荷画像ＬＢ１でもって露光され、それと同時に電荷画像ＬＢ２が形成される（図９ｂを参照されたい）。これによって、反転露光された領域は電位Ｕh5から電位Ｕh6、例えばＵaに放電されるが、トナー画像ＴＢ１は影響を受けない。したがってトナー画像ＴＢ１の電位は維持され（Ｕt7＝Ｕt6）、他方でトナー画像ＴＢ２の電位はＵt8になる。図９ｃは、２つのトナー画像ＴＢ１およびＴＢ２（それぞれ４つのＰＥＬからなる正方形）が並んで配置されている領域ＢＢを示す。トナー画像ＴＢ１およびＴＢ２の周囲には電位Ｕh6の画像領域が存在する。
【００４２】
図８および図９による第１の方法においては、トナー画像ＴＢ１の縁部領域が符号発生器７を用いた露光によって影響を受け、それによりこの縁部領域ではトナーが現像ステーション８に移動する可能性があるという危険が存在する。トナー画像ＴＢ１の周囲の領域ＢＴを符号発生器７による露光から除外することによってこの危険を回避することができる。したがってこの領域ＢＴにおいては電位がＵh5に維持され、電荷画像ＬＢ２との電位差も維持される。
【００４３】
これによりトナー画像ＴＢ１のトナーＴ１の現像ステーション８への移動は阻止される。有利な解決手段においては、トナー画像ＴＢ１の周囲のＰＥＬ１つ分の領域ＢＴが反転露光から除外される場合には好適である。この解決手段は図１０に示されている。図１０ａは図９ａに対応するので、ここでは説明を省略する。図１０ｂからは、トナー画像ＴＢ１と、例えばこのトナー画像ＴＢ１の周囲におけるＰＥＬ１つ分の幅の領域ＢＴとを除いた画像領域ＢＢが符号発生器７によって露光されることが見て取れる。これによって、トナー画像ＴＢ１の周囲の領域ＢＴの電位はＵh5に維持され、画像領域ＢＢのその他の領域のみが電位Ｕh6にまで放電される。結果は図１０ｃに示されている。この図１０ｃにおいて、２つのトナー画像ＴＢ１およびＴＢ２が並んで配置されており、トナー画像ＴＢ１の周囲の領域ＢＴの電位はＵh5であり、トナー画像ＴＢ２以外のその他の画像領域ＢＢの電位はＵh6である。
【００４４】
第２の方法においては、第２の電荷画像ＬＢ２の縁部領域ＲＢにおいてのみ、反転された第１の電荷画像ＬＢ１による露光が実施される（図１１を参照されたい）。図１１においては、第１のトナー画像ＴＢ１および第２のトナー画像ＴＢ２が並んで配置されており、且つトナー画像ＴＢ２の周囲の縁部領域のみが符号発生器７によって露光されている画像領域ＢＢが示されている。
【００４５】
符号発生器７としてＬＥＤ符号発生器が使用される場合には、縁部領域ＲＢをこの符号発生器によって画素毎に露光することができる。ＬＥＤ符号発生器７のＬＥＤによって形成される各画素（ピクセル）は画素毎に光伝導体１を放電し、ＰＥＬ（被印刷要素）を生じさせ、このＰＥＬがトナーにより着色され印刷画素（ドット）を形成する。ＬＥＤ符号発生器７のＬＥＤを公知のやり方で、縁部領域ＲＢにおける露光によって選択的に（正方形内に）個々のＰＥＬを形成し、したがって縁部領域ＲＢを調整可能に放電するよう制御することができ。ＬＥＤを選択することによって縁部領域ＲＢの幅を調整することができ、露光の強度を調整することによって放電の程度を調整することができる。この方法は、第１のトナー画像ＴＢ１が後続のトナー画像ＴＢ２に影響を及ぼさないという利点を有する。さらに光伝導体１を所期のように、電荷画像ＬＢ２の最適な現像を実現する帯電電位Ｕh6まで放電することができる。例えば、電荷電位Ｕh6を初期電位Ｕaに調整することができる。この方法を用いることにより、第１のトナー画像ＴＢ１のトナーＴ１が第２の現像ステーション８に移動することは阻止される。
【００４６】
この第２の方法は図１２ａから図１２ｃに示されている。図１２は図９ａに対応するので、ここでは説明を省略する。図１２ｂは符号発生器７による画像領域ＢＢの露光を示し、この露光は、電荷画像ＬＢ２の周囲の縁部領域ＲＢが電位Ｕh6に放電され、これに対し残りの画像領域ＢＢが電位Ｕh5に維持されるように行われる。縁部領域ＲＢを別の幅にすることも勿論可能である。この実施例では、第２の電荷画像ＬＢ２の周囲の縁部領域ＲＢの幅はＰＥＬ２つ分である。結果は図１２ｃに示されている。２つのトナー画像ＴＢ１およびＴＢ２が並んで配置されており、トナー画像ＴＢ２の周囲の縁部領域ＲＢの電位はＵh6であり、その他の画像領域ＢＢの電位はＵh5である。
【００４７】
図１２による方法においては、例としてトナー画像ＴＢ１の一部が縁部領域ＲＢの内に存在する。符号発生器７を用いて縁部領域ＲＢが露光されることによって、トナー画像ＴＢ１の縁部にも影響が及ぼされ、その結果トナーＴ１が現像ステーション８に移動する虞がある。この場合に関して、トナー画像ＴＢ１の縁部におけるトナーの損害をさらに阻止するために、図１３に応じた符号発生器７による電荷画像ＬＢ２の縁部領域ＲＢの露光を実施することができる。図１３ａは図９ａに対応するので、ここでは説明を省略する。符号発生器７による露光は図１３ｂから見て取れる。縁部領域ＲＢにあるトナー画像ＴＢ１の領域は露光から除外される。しかしながら、電荷画像ＬＢ２の周囲においては電位Ｕh6への放電は維持されたままである。例えば、電荷画像ＬＢ２の周囲ではＰＥＬ２つ分の露光が符号発生器７によって行われ、トナー画像ＴＢ１がＰＥＬ２つ分の縁部領域ＲＢにおける１つ分のＰＥＬの領域に入り込む場合には、電荷画像ＬＢ２とトナー画像ＴＢ１との間の１つ分のＰＥＬの領域が符号発生器７によって露光される。この場合トナー画像ＴＢ１におけるトナーの損害は最小にされる。
【００４８】
したがって本発明による方法は上記の措置により、第１のトナー画像ＴＢ１が第２の現像ステーション８を通過することによって生じる問題を所期のように回避することができる。トナー画像ＴＢ１が過帯電され、したがって光伝導体１への比較的高い付着力が生じ、それと同時に、第２の現像ステーション８において使用されるトナーＴ２に対する比較的大きい反発作用が生じる場合には最適な解決手段が達成される。電荷センサ１１を介して、光伝導体１が最適な現像電位、例えば初期電位に再帯電されるように符号発生器７を制御して作動させることができる。
【００４９】
図７による方法に関する例としての典型的な電位は以下の通りである：
帯電（３）：Ｕa≒−５００Ｖ範囲：（−４００Ｖ→−６００Ｖ）
露光（４／７）：Ｕel≒−４０Ｖ範囲：（−１０Ｖ→−１００Ｖ）
現像（５／８）：ジャンプギャップ≒１８０μｍ範囲（１００μｍ→３００μｍ）
１回目の中間露光（１３）：Ｕe2≒−２０Ｖ範囲（−１０Ｖ→−１００Ｖ）
トナー付着領域：（１３）の波長に関するトナーの光透過性に応じる
再帯電（１２）：Ｕh5≒−７００Ｖ範囲（−６５０Ｖ→−９５０Ｖ）
Ｕh6≒−７５０Ｖ範囲（−７００Ｖ→−１０００Ｖ）
２回目の中間露光（７）:Ｕh6≒−５００Ｖ範囲（−４００Ｖ→６００Ｖ）
Ｕh7(光透過性)≒−５００Ｖ範囲（−１０００Ｖ→−６００Ｖ）
Ｕh7(光非透過性)≒−７５０Ｖ範囲（−７００Ｖ→−１０００Ｖ）
反転露光：Ｕh4≒−５００Ｖ範囲（−４００Ｖ→−６００）
第１の印刷画像ＤＢ１のトナーＴ１を有する領域は反転露光による影響を受けない。
【００５０】
図１４は、光伝導体１に沿って３つの印刷ユニットが配置されている例のパルスグラフを示す。（垂直な破線までの）第１の領域は図７による経過に対応し、それ以降には第３の印刷ユニット（図１には図示せず）が光伝導体１上に第３の印刷画像のためのトナー画像ＴＢ３を形成する場合の電位経過が示されている。先ず、中間露光ユニット１５によって光伝導体１が放電され、続いて、再帯電ユニット１６によって図７と同等（再帯電ユニット１２）の再帯電が実施される。後続のステップにおいては、光伝導体１が符号発生器１７によって第３の印刷画像に応じて放電され電荷画像ＬＢ３が生じ、この電荷画像ＬＢ３が第３の印刷ユニットの現像ステーションにおいて現像されトナー画像ＴＢ３が生じる。経過および電位特性は図７に対応するので、ここでは説明を省略する。以降は同一の原理に従い、別の印刷ユニットによって、並んで配置されている印刷画像を形成することができる。
【００５１】
図１５には、例えば符号発生器７のための制御回路の原理回路図が示されている。光伝導体１の電荷は電荷センサ１１によって測定される。測定信号が比較回路ＶＧにおいて放電目標値ＳＷと比較される。生じた制御差分ＲＤが放電制御器ＲＧ、例えばＰＩ制御器に供給され、この放電制御器ＲＧは符号発生器７を制御し、符号発生器７はこの制御に基づき光伝導体１における（例えば図７に従う）所望の電位を調整する。
【００５２】
本発明を、トナーが負に帯電されており、且つ光伝導体１における電位も同様に負である実施例を用いて説明した。しかしながら本発明を、正に帯電されたトナーを用いる実施形態においても勿論使用することができる。したがって特許請求の範囲においては、光伝導体１およびトナー画像ＴＢにおける電位は絶対値で示されている。
【符号の説明】
【００５３】
ＤＥ１，ＤＥ２  印刷ユニット、  ＲＥ  クリーニングユニット、  ＵＳ  転写ステーション、  ＡＴ  被印刷物、  ＬＢ  電荷画像、  ＴＢ  トナー画像、  ＢＢ  画像領域、  ＲＢ  印刷画像の縁部領域、  ＢＴ  トナー画像の縁部領域、  Ｔ  トナー、  １  光伝導体、  ２  光伝導体１の移動方向、  ３  帯電ユニット、  ４，７，１７  符号発生器、  ５，８，１８  現像ステーション、  ６，９  ジャンプドラム、  １０，１１  電荷センサ、  １２，１６  再帯電ユニット、  １３，１４，１５  中間露光ユニット、  ＶＧ  比較回路、  ＲＧ  制御器、  ＲＤ  制御差分、  ＳＷ  放電目標値、  Ｕa  光伝導体の初期電位、  Ｕe  光伝導体の放電電位、  Ｕt  トナー電位、  Ｕh  トナー画像の再帯電電位
【図１】
2010519580.tif 000003
【図２】
2010519580.tif 000004
【図３】
2010519580.tif 000005
【図４】
2010519580.tif 000006
【図５】
2010519580.tif 000007
【図６】
2010519580.tif 000008
【図７】
2010519580.tif 000009
【図８】
2010519580.tif 000010
【図９】
2010519580.tif 000011
【図１０】
2010519580.tif 000012
【図１１】
2010519580.tif 000013
【図１２】
2010519580.tif 000014
【図１３】
2010519580.tif 000015
【図１４】
2010519580.tif 000016
【図１５】
2010519580.tif 000017
【手続補正書】
【提出日】平成20年11月7日(2008.11.7)
【手続補正２】
【補正対象書類名】明細書
【補正対象項目名】０００１
【補正方法】変更
【補正の内容】
【０００１】
トナージャンプ（Toner-Jump）方式による電子写真印刷またはコピー装置での、電荷画像担体、例えば光伝導体ドラムまたは光伝導体バンド上に形成された、印刷すべき画像の電荷画像ないし潜像の現像が公知である（例えばResearch Disclosure 331080; US 4 868 600を参照されたい）。この方式では、現像ドラム（ジャンプドラム）と電荷画像担体との間の中間空間（以下では現像領域と称する）において、交流電圧または直流電圧が印加されることによって、トナー粒子から成るトナークラウドが形成され、このトナークラウドからトナー粒子が電荷画像に応じて電荷画像担体に移動し、したがって電荷画像担体を着色する。多色印刷では、電荷画像が異なる色のトナー粒子を用いて連続して着色されることが必要とされる。このために、電荷画像担体に沿って相応の数の現像ステーションを配置することができる（US 5 828 933；GB 2 343 144 Aを参照されたい）。この場合には、トナージャンプ方式にしたがい現像領域内にトナークラウドが形成される際に、トナー粒子が電荷画像担体にも生じ、先行の現像ステーションによって先行して形成された別の色のトナー層が少なくとも部分的に再び剥がれる危険が存在する。これによって先行して印刷されたカラー画像の品質が劣化し、またこの現像ステーションの現像混合液が汚染される。
JP 10 186831 Aには、電子写真印刷装置において被印刷物上に連続して印刷画像を形成するための装置および方法が開示されている。この方法のシーケンスは以下の通りである：
第１のステップにおいては、光伝導体が−６００Ｖの初期電位に帯電され、続く第２のステップにおいて第１の電荷画像を形成するために露光によって−１００Ｖに再帯電される。電荷画像は第１の現像ステーションにおいて黒トナーにより着色され、この際に表面上には−２００Ｖの電位のトナー画像が生じる（第３のステップ）。続く第４のステップにおいては、光伝導体が背面から露光され、これにより光伝導体の電位が−３００Ｖに変化する、または表面におけるトナー画像の電位が−１５０Ｖに変化し、トナー画像の下にある光伝導体の電位も同様に再帯電され、しかも−５０Ｖに帯電される。第５のステップにおいては、光伝導体の電位が−６５０Ｖになり、表面におけるトナー画像の電位が−６２０Ｖになり、またトナー画像の下にある光伝導体領域の電位が−３５０Ｖになるよう、トナー画像を有する光伝導体の表面が再帯電ユニットにおいて再帯電される。第６のステップにおいては、第１のトナー画像の隣に第２のトナー画像が形成される。トナー画像の再帯電の際に、トナー画像の下にある光伝導体領域は常に一緒に再帯電される。
US 5 828 933 Aには、色エキスからカラー画像が形成される方法が開示されている。それらの色エキスは光伝導体、例えば光伝導体バンド上でカラー画像に収集される。このために光伝導体に沿って、例えば４つの色のトナーのために４つの現像ステーションを備えた４つの印刷ユニットが配置されている。第１の色エキスに関する電荷画像が光伝導体上に形成された後に、この光伝導体が第１の色のトナーでもって着色され第１のトナー画像が生じる。光伝導体は後続の印刷ユニットへと移動する。第１のトナー画像が第２の印刷ユニットに到達する前に、第１のトナー画像を有する光伝導体は、この第１のトナー画像の領域内に後続の色エキスのための第２の電荷画像を形成することができ、且つ、後続の色エキスのトナーでもって着色できるように処理されなければならない。このために、印刷ユニット間に少なくとも１つの再帯電ユニットが配置される。この再帯電ユニットは、後続の色エキスに関する電荷画像を光伝導体上に形成することができ、続いてトナーでもって着色できるように光伝導体およびトナー画像を再帯電する。US 5 579 100 AにはUS 5 828 933 Aに応じた印刷装置が開示されている。これら２つの刊行物においては、先行して形成されたトナー画像を再帯電する再に、このトナー画像の周囲の光伝導体領域と共に、トナー画像の下にある光伝導体領域のトナー画像も常に一緒に再帯電される。
US 5 438 401 Aには、電子写真印刷装置において被印刷物上に連続して印刷画像を形成するための方法が開示されている。光伝導体は先ず初期電位に帯電され、続いて第１のトナー画像に関する電荷画像についての露光によって放電される。後続のステップにおいては、電荷画像が第１の色のトナーでもって着色される。続いて、光伝導体および第１のトナー画像は光伝導体および第１のトナー画像の表面が初期電位になるように再帯電され、トナー画像の下にある光伝導体領域も同様に再帯電され、その結果、トナー画像における電圧降下は変化しない。光伝導体上の第１のトナー画像の他に、第２のトナー画像の電荷画像が露光および放電によって形成される。電荷画像は２つのトナー画像間の電位差が僅かであるように第２の色のトナーでもって着色されるので、第１の色のトナーが第２のトナーのための現像ステーションに到達する危険は小さい。
JP 2002 023521 Aでは、電子写真印刷機でもって境界が鮮明な画像が形成されている。このために、光伝導体上の２つのトナー画像領域間の領域は静電的に放電されない。したがってトナー画像間には高い電位が存在し、この電位によってトナー画像のトナーが後続のトナー画像に移動することを阻止している。
【手続補正３】
【補正対象書類名】明細書
【補正対象項目名】０００２
【補正方法】変更
【補正の内容】
【０００２】
本発明が基礎とする課題は、電荷画像担体上に既に存在するトナー画像が例えば連続的な印刷の際に、次に形成されるトナー画像による影響を受けず、これにより後続の現像ステーションが汚染されない方法を提供することである。
この方法は殊に、現像領域内にトナークラウドが形成され、電荷画像が着色され、トナークラウドによって既に電荷画像担体上に存在するトナー画像が例えばカラー印刷の際に影響を受けることが許されない、電荷画像担体における電荷画像のトナージャンプ現像に使用することができる。
【手続補正４】
【補正対象書類名】明細書
【補正対象項目名】０００３
【補正方法】変更
【補正の内容】
【０００３】
この課題は請求項１の特徴部分に記載された構成よって解決される。
【手続補正５】
【補正対象書類名】特許請求の範囲
【補正対象項目名】全文
【補正方法】変更
【補正の内容】
【特許請求の範囲】
【請求項１】
電子写真印刷装置を用いて被印刷物上に隣接する印刷画像を形成する方法において、
初期電位（Ｕa）に帯電されている回転する光伝導体（１）に沿って、同一の側に印刷ユニット（ＤＥ１，ＤＥ２）が配置されており、該印刷ユニット（ＤＥ１，ＤＥ２）はそれぞれ１つの符号発生器（４，７）と、摩擦ジャンプ方式に従い動作する１つの現像ステーション（５，８）とを有し、
各印刷ユニット（ＤＥ１，ＤＥ２）において、前記符号発生器（４，７）によって前記光伝導体（１）を露光することにより印刷画像の電荷画像（ＬＢ）を前記光伝導体（１）上に形成し、
前記現像ステーション（５，８）内に配置されており、且つバイアス電圧が印加されているジャンプドラム（６，９）によって、前記電荷画像（ＬＢ）を帯電されたトナーでもって現像し、
印刷ユニット（ＤＥ１）によって形成されたトナー画像（ＴＢ）の表面を、該印刷ユニットの通過後、且つ後続の印刷ユニットへの到達前に、前記トナー画像（ＴＢ）外にある前記光伝導体（１）の領域と共に、第１の再帯電ユニット（１２，１６）によって、前記光伝導体（１）の前記初期電位（Ｕa）の絶対値と少なくとも同じ絶対値である再帯電電位（Ｕh）に帯電させ、
前記第１の再帯電ユニット（１２，１６）による前記トナー画像（ＴＢ）の表面の再帯電後に、前記トナー画像（ＴＢ）の下にある光伝導体の領域を、前記トナー画像（ＴＢ）が前記後続の印刷ユニット（ＤＥ）を通過する前は再帯電させないことを特徴とする、方法。
【請求項２】
最初に形成された前記トナー画像（ＴＢ１）を有する前記光伝導体（１）を、第１の中間露光ユニット（１３）による２回目の帯電の前にさらに放電させ、続いて前記再帯電ユニット（１２）によって、前記初期電位（Ｕa）よりも絶対値が大きい再帯電電位（Ｕh3）まで帯電させる、請求項１記載の方法。
【請求項３】
前記第１の中間露光ユニット（１３）によって、前記光伝導体（１）を飽和状態（Ｕe2）で放電させ、前記再帯電後に前記トナー画像（ＴＢ１）の電位（Ｕt5）の絶対値を前記光伝導体（１）の再帯電電位（Ｕh3）よりも大きくする、請求項２記載の方法。
【請求項４】
第２の中間露光ユニット（１４）による再帯電後に前記後続の印刷ユニット（ＤＥ２）に到達する前に、前記光伝導体（１）を該光伝導体（１）の初期電位（Ｕa）に対応する電位（Ｕh4）にまで放電させる、請求項２または３記載の方法。
【請求項５】
２回目の中間露光後の前記光伝導体（１）の電位を電荷センサ（１０）によって測定し、測定信号によって中間露光を制御する、請求項４記載の方法。
【請求項６】
前記再帯電ユニット（１２）による再帯電後に、前記後続の印刷ユニット（ＤＥ２）における所属の符号発生器（７）によって、２つの隣接する印刷画像が形成される画像領域（ＢＢ）においては、先行して形成された第１のトナー画像（ＴＢ１）の形成後に、前記先行して形成された第１のトナー画像（ＴＢ１）外の画像領域（ＢＢ）を、先行して形成された電荷画像（ＬＢ１）の反転画像を用いる反転露光により露光し、前記所属の符号発生器（７）によって、後続の第２の印刷画像の電荷画像（ＬＢ２）を前記光伝導体（１）上に形成する、請求項１から３までのいずれか１項記載の方法。
【請求項７】
前記反転露光の際に、前記先行して形成されたトナー画像（ＴＢ１）の周囲の領域（ＢＴ）を露光から除外する、請求項６記載の方法。
【請求項８】
符号発生器（７）としてＬＥＤ符号発生器を使用し、該符号発生器（７）により前記反転露光を画素毎の露光として実施し、前記先行して形成されたトナー画像（ＴＢ１）の周囲の領域（ＢＴ）を調整可能に前記画素毎の露光から除外する、請求項１記載の方法。
【請求項９】
前記再帯電ユニット（１２）による再帯電後に、前記後続の印刷ユニット（ＤＥ２）における所属の符号発生器（７）によって、２つの隣接する印刷画像が形成される画像領域（ＢＢ）においては、先行して形成された第１のトナー画像（ＴＢ１）の形成後に、後続の電荷画像（ＬＢ２）の縁部領域（ＲＢ）を、先行して形成された電荷画像（ＬＢ１）の反転画像を用いて露光し、前記所属の符号発生器（７）によって、後続の印刷画像の電荷画像（ＬＢ２）を前記光伝導体（１）上に形成する、請求項１から３までのいずれか１項記載の方法。
【請求項１０】
先行して形成された印刷画像（ＤＢ１）の反転画像を用いる前記光伝導体（１）の露光を前記符号発生器（７）の後段に配置されている電荷センサ（１１）によって制御する、請求項６から９までのいずれか１項記載の方法。
【請求項１１】
前記再帯電ユニット（１２）による再帯電後に、前記後続の印刷ユニット（ＤＥ２）における所属の符号発生器（７）によって、２つの隣接する印刷画像が形成される画像領域（ＢＢ）においては、前記初期電位（Ｕa）に対応する帯電電位（Ｕh6）が生じるように後続の電荷画像（ＬＢ２）の縁部領域（ＲＢ）を露光する、請求項９または１０記載の方法。
【請求項１２】
符号発生器（７）としてＬＥＤ符号発生器を使用し、該符号発生器（７）により調整可能に前記縁部領域（ＲＢ）を、縁部ＰＥＬ露光としての画素毎の露光によって帯電電位（Ｕh6）に再帯電させる、請求項１１記載の方法。
【請求項１３】
先行して形成された印刷画像（ＤＢ１）の前記トナー画像（ＴＢ１）の一部が前記縁部領域（ＲＢ）に入り込むように並んで配置されている、隣接する複数の印刷画像では、先行して形成された前記トナー画像（ＴＢ１）の前記一部を露光しないように前記符号発生器（７）による露光を行う、請求項１２記載の方法。
【請求項１４】
前記縁部領域（ＲＢ）における再帯電の強度を、前記符号発生器（７）のＬＥＤの露光の強度の調整によって規定する、請求項１１から１３までのいずれか１項記載の方法。
【請求項１５】
第２の印刷ユニット（ＤＥ２）の後続の印刷ユニットにおいて、それぞれの後続の印刷画像を形成するために、
前記光伝導体（１）を中間露光ユニットによって飽和状態で再帯電させ、
前記光伝導体（１）を再帯電ユニットによって、前記初期電位（Ｕa）よりも絶対値が大きい再帯電電位まで再帯電させ、
前記光伝導体（１）を所属の印刷ユニットの符号発生器または別の中間露光ユニットによって、それぞれの印刷画像の電荷画像（ＬＢ）の電位まで再帯電させ、
前記電荷画像（ＬＢ）を所属の印刷ユニットの現像ステーションによって現像し、それぞれの印刷画像のトナー画像を形成する、請求項１から１４までのいずれか１項記載の方法。
【国際調査報告】
2010519580.tif 000018
2010519580.tif 000019
2010519580.tif 000020
2010519580.tif 000021
2010519580.tif 000022
2010519580.tif 000023
2010519580.tif 000024
2010519580.tif 000025
2010519580.tif 000026
2010519580.tif 000027
2010519580.tif 000028
2010519580.tif 000029
2010519580.tif 000030
2010519580.tif 000031